【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
光学キャビティを画定する構造の内部に位置付けられた光拡散反射体を含む拡散反射物
品において、
前記拡散反射体は、複数の細孔を含有する不織布を含み、水銀ポロシメーターによって
測定された０．０１μｍから１．０μｍまでの平均孔径を有する細孔について比細孔容積
が少なくとも約３４ｃｍ３／ｍ２である拡散反射物品。
【請求項２】
（ｉ）前記光学キャビティの内部に配置された光源と、（ｉｉ）該光源からの光が通過
するディスプレイパネルとをさらに含み、前記拡散反射体は、前記光源からの光を前記デ
ィスプレイパネルに向けて反射するために前記光学キャビティの内部に位置付けられてい
る請求項１に記載の物品。
【請求項３】
水銀ポロシメーターによって測定された０．０２μｍから０．５μｍまでの平均孔径を
有する細孔について比細孔容積が少なくとも約２８ｃｍ３／ｍ２である請求項１に記載の物品。
【請求項４】
前記不織布は、複数のプレキシフィラメントフィルム−フィブリルを含み、前記フィブ
リルは、細孔を含有するポリマーを含む請求項１に記載の物品。
【請求項５】
前記ポリマーは、約１０−４μｍ−１以下の吸収係数を有する請求項４に記載の物品。
【請求項６】
前記不織布の反射率は、３８０ｎｍから７８０ｎｍまでの波長範囲にわたって約４％以
下の反射率だけ変化する請求項１に記載の物品。
【請求項７】
前記拡散反射体は、複数の不織布層の積層物を含む請求項１に記載の物品。
【請求項８】
前記積層物は、２層の不織布および接着剤を含み、前記拡散反射体の平均厚さが約４０
０μｍ未満であり、３８０ｎｍから７８０ｎｍまでの波長範囲の前記拡散反射体における
明所視の反射率が、少なくとも約９６％である請求項７に記載の物品。
【請求項９】
前記積層物は、４層の不織布および接着剤を含み、前記拡散反射体の平均厚さは、約９
００μｍ未満であり、３８０ｎｍから７８０ｎｍまでの波長範囲の前記拡散反射体の明所
視の反射率が、少なくとも約９８％である請求項７に記載の物品。
【請求項１０】
前記ディスプレイパネルは、液晶である請求項２に記載の物品。
【手続補正２】
【補正対象書類名】明細書
【補正対象項目名】００５４
【補正方法】変更
【補正の内容】
【００５４】
本発明による不織布の拡散反射体によって示される拡散反射は、その高い光散乱能力の
結果である。しかし、不織布の高い明所視の反射率は、可視光の高い光散乱能力と非常に
低い吸収との組合せによって達成される。不織布による高い光吸収の１つの主な否定的影
響は、大きなシート坪量によってもたらされる反射率の恩恵が大幅に低減されることであ
る。したがって、本発明の不織布は可視光の非常に低い吸収を有し、好ましくは、可視光
を吸収しない。光吸収の負の効果を防ぐためには一般に、約１０−４μｍ−１未満、特に約１０−５μｍ−１未満の可視光の吸収係数を有する材料を不織布の材料として選択すればよい。不織布拡散反射体を形成するための好ましいポリマーは、約１０−４  （μｍ−１）未満、好ましくは約１０−５  （μｍ−１）未満、より好ましくは約１０−６  （μｍ−１）未満の吸収係数を有する。
【手続補正３】
【補正対象書類名】明細書
【補正対象項目名】０１０３
【補正方法】変更
【補正の内容】
【０１０３】
実施例１１または実施例１３の単一の不織反射体、あるいは、ＭＣＰＥＴまたはＥ６Ｓ
Ｖを含むバックライトユニットの平均輝度および均一性（ｓｄ／ａｖｇ）を表５にまとめ
た。
【手続補正４】
【補正対象書類名】明細書
【補正対象項目名】０１０７
【補正方法】変更
【補正の内容】
【０１０７】
実施例１１、１２または１３の単一の不織布の反射体、あるいは既存の反射体を含むバ
ックライトユニットの平均輝度および均一性（ｓｄ／ａｖｇ）を表６にまとめた。
【手続補正５】
【補正対象書類名】明細書
【補正対象項目名】０１１０
【補正方法】変更
【補正の内容】
【０１１０】
単一フラッシュ紡糸ＨＤＰＥシート積層物の拡散反射体および市販反射体に入射した光の反射率を、反射体の平面に対する垂線に対し固定角３０度で試料を照らす平行光を使用して測定する。反射率は、ＰＲ（登録商標）−６５０  ＳｐｅｃｔｒａＳｃａｎ（登録商標）色彩計（Ｐｈｏｔｏ  Ｒｅｓｅａｒｃｈ（登録商標），Ｉｎｃ．製（米カリフォルニア州Ｃｈａｔｓｗｏｒｔｈ））を使用して測定する。反射体の拡散率は、この測定から定量化する。実施例１１（２層）、実施例１２（３層）および実施例１３（４層）における積層物は、前述のプロセスによって、５０ｍｍ×５０ｍｍのサイズに製造される。さらに、同じサイズのＥ６０Ｌ、Ｅ６ＳＶおよびＭＣＰＥＴ試料も製造する。これらの試料を台に載せ、反射体の平面に対する垂線に対し３０度の鏡面反射角からこの照明角度の両側の−３０度から＋３０度の角度範囲にわたって輝度を測定する。これらの反射体の性能を、すべての反射体に対してピーク輝度の７０％における角度帯域幅（ＡＢＷ）を求めた表７に示し、これらの反射体について、反射体の拡散円錐の尺度である、正規化された輝度の反射角度に対する依存性が図１１にグラフ化されている。
以下に、本明細書に記載された発明につき列記する。
１．光学キャビティを画定する構造の内部に位置付けられた光拡散反射体を含む拡散反射物品において、前記拡散反射体は、複数の細孔を含有する不織布を含み、水銀ポロシメーターによって測定された０．０１μｍから１．０μｍまでの平均孔径を有する細孔について比細孔容積が少なくとも約３４ｃｍ３／ｍ２である拡散反射物品。
２．（ｉ）前記光学キャビティの内部に配置された光源と、（ｉｉ）該光源からの光が通過するディスプレイパネルとをさらに含み、前記拡散反射体は、前記光源からの光を前記ディスプレイパネルに向けて反射するために前記光学キャビティの内部に位置付けられている前記１．に記載の物品。
３．水銀ポロシメーターによって測定された０．０２μｍから０．５μｍまでの平均孔径を有する細孔について比細孔容積が少なくとも約２８ｃｍ３／ｍ２である前記１．に記載の物品。
４．前記不織布は、複数のプレキシフィラメントフィルム−フィブリルを含み、前記フィブリルは、細孔を含有するポリマーを含む前記１．に記載の物品。
５．前記ポリマーは、約１０−４μｍ−１以下の吸収係数を有する前記４．に記載の物品。
６．前記不織布の反射率は、３８０ｎｍから７８０ｎｍまでの波長範囲にわたって約４％以下の反射率だけ変化する前記１．に記載の物品。
７．前記拡散反射体は、複数の不織布層の積層物を含む前記１．に記載の物品。
８．前記積層物は、２層の不織布および接着剤を含み、前記拡散反射体の平均厚さが約４００μｍ未満であり、３８０ｎｍから７８０ｎｍまでの波長範囲の前記拡散反射体における明所視の反射率が、少なくとも約９６％である前記７．に記載の物品。
９．前記積層物は、４層の不織布および接着剤を含み、前記拡散反射体の平均厚さは、約９００μｍ未満であり、３８０ｎｍから７８０ｎｍまでの波長範囲の前記拡散反射体の明所視の反射率が、少なくとも約９８％である前記７．に記載の物品。
１０．前記ディスプレイパネルは、液晶である前記２．に記載の物品。
１１．（ｉ）光学キャビティを画定する構造と、（ｉｉ）前記光学キャビティの内部に位置付けられた光源と、（ｉｉｉ）前記光源からの光が通過するディスプレイパネルと、
（ｉｖ）前記光源からの光を前記ディスプレイパネルに向けて反射させるために前記光
学キャビティの内部に位置付けられた拡散反射体とを含み、前記拡散反射体が、複数の細孔を含有する不織布を含み、水銀ポロシメーターによって測定された約０．０１μｍから１．０μｍまでの平均細孔径を有する細孔について比細孔容積が少なくとも約１０ｃｍ３／ｍ２である光学ディスプレイ。
１２．水銀ポロシメーターによって測定された約０．０２μｍから０．５μｍまでの平均細孔径を有する細孔について比細孔容積が少なくとも約７ｃｍ３／ｍ２である前記１１．に記載の光学ディスプレイ。
１３．前記不織布は、複数のプレキシフィラメントフィルム−フィブリルを含み、前記フィブリルは、細孔を含有するポリマーを含む前記１１．に記載の光学ディスプレイ。
１４．前記ポリマーは、約１０−４μｍ−１以下の吸収係数を有する前記１３．に記載の光学ディスプレイ。
１５．前記不織布の反射率は、３８０ｎｍから７８０ｎｍまでの波長範囲にわたって約４％以下の反射率だけ変化する前記１１．に記載の光学ディスプレイ。
１６．前記拡散反射体は、複数の不織布層の積層物を含む前記１１．に記載の光学ディスプレイ。
１７．前記積層物は、２層の不織布および接着剤を含み、前記拡散反射体の平均厚さが、約４００μｍ未満であり、３８０ｎｍから７８０ｎｍまでの波長範囲で前記拡散反射体の明所視の反射率は、少なくとも約９６％である前記１６．に記載の光学ディスプレイ。
１８．前記積層物は、４層の不織布および接着剤を含み、前記拡散反射体の平均厚さが、約９００μｍ未満であり、３８０ｎｍから７８０ｎｍまでの波長範囲で前記拡散反射体の明所視の反射率は、少なくとも約９８％である前記１６．に記載の光学ディスプレイ。
１９．前記ディスプレイパネルは、液晶である前記１１．に記載の光学ディスプレイ。
２０．前記拡散反射体は、前記光源からの光を前記ディスプレイパネルを通じて導くように、前記光学キャビティの少なくとも一部分を覆い、前記光源の回りを部分的に取り囲む前記１１．に記載の光学ディスプレイ。
２１．前記光学キャビティは、前記光源からの光を前記ディスプレイパネルに向けて導くために前記光学キャビティの内部に位置付けられた光ガイドを含む前記１１．に記載の光学ディスプレイ。